(57)【要約】【課題】  タッチパネルディスプレイによる不要な製造コストの高騰を抑えると共に、タッチパネルディスプレイを備えても容易に取り扱うことができる携帯電子機器を提供すること。【解決手段】  電子機器本体１２に表示部１１を設けた携帯電子機器１０において、前記表示部１１上にタッチパネルディスプレイ１４を着脱可能に配設した携帯電子機器１０を提供する。また、前記電子機器本体１２に対する前記タッチパネルディスプレイ１４の装着の有無を検出するタッチパネル検出手段を備えた携帯電子機器１０を提供する。【選択図】  図１
2006067250.tif 000002
【特許請求の範囲】
【請求項１】
電子機器本体に表示部を設けた携帯電子機器において、
前記表示部上にタッチパネルディスプレイを着脱可能に配設したことを特徴とする携帯電子機器。
【請求項２】
前記電子機器本体に対する前記タッチパネルディスプレイの装着の有無を検出するタッチパネル検出手段を備えたことを特徴とする請求項１に記載の携帯電子機器。
【請求項３】
前記タッチパネル検出手段は、電子機器本体に複数個配設されており、電子機器本体に装着されたタッチパネルディスプレイの種類を認識することを特徴とする請求項２に記載の携帯電子機器。
【請求項４】
前記タッチパネル検出手段の検出結果に応じて、電子機器本体に収納された対応するプログラムが起動して、前記表示部に前記プログラムに応じた所定の表示が現れることを特徴とする請求項２又は請求項３に記載の携帯電子機器。
【請求項５】
前記タッチパネルディスプレイに専用の操作キーが配設され、前記タッチパネル検出手段の検出結果に応じて前記操作キーが有効となることを特徴とする請求項２から請求項４のいずれか１項に記載の携帯電子機器。
【請求項６】
前記タッチパネルディスプレイと電子機器本体とを電気的に接続する導通手段を備えたことを特徴とする請求項１から請求項５のいずれか１項に記載の携帯電子機器。
【発明の詳細な説明】
【技術分野】
【０００１】
本発明は、携帯電子機やＰＤＡ（Personal Digital Assistants）、デジタルカメラ等の携帯電子機器に関するものである。
【背景技術】
【０００２】
近年、携帯電子機器の中でも広く利用されている携帯電話機は、通話機能のみならずメール、ゲーム、コンテンツとの通信等その機能が拡張された結果、使用者の操作により種々の機能を選択して使用することができる。したがって、使用者は、各機能を発揮させるために入力キーを多様に操作することが要求される。
【０００３】
そこで、これらの煩雑さを解消するものとして、例えば特許文献１に示すように、個々の使用者に合わせて操作入力環境を設定するべく、表示部にデジタイザを設け、操作環境に応じた操作画面を表示して表示画面から入力可能な、いわゆるタッチパネルディスプレイがある。
【特許文献１】特開平０９−０６４９５９号公報
【発明の開示】
【発明が解決しようとする課題】
【０００４】
しかし、これら従来のタッチパネルディスプレイを標準装備した携帯電子機器では、キー操作に不慣れな使用者に便利であるが、反面、キー操作のみで充分な使用者にとっては、不要な装備であり製造コストの高騰による不利益を被っていた。また、ディスプレイ表面が傷、損傷を受けるとタッチパネルディスプレイとしての操作が不能となり、この場合には携帯電子機器自体を修理する必要があるため、携帯電子機器の取り扱いが面倒であった。更に、タッチパネルディスプレイは接触することにより操作するために汚れや指紋の跡、傷等が付いたりすると表面パネルとしての視認性が低下する虞れもあった。
【０００５】
この発明は、上記に鑑み提案されたもので、タッチパネルディスプレイによる不要な製造コストの高騰を抑えると共に、タッチパネルディスプレイを備えても容易に取り扱うことができる携帯電子機器の提供を目的としている。
【課題を解決するための手段】
【０００６】
上記目的を達成するために、この発明は以下の手段を提案している。
本発明に係る携帯電子機器は、表示部を設けた電子機器本体を備え、前記表示部上にタッチパネルディスプレイを着脱可能に配設したことを特徴とする。
また、本発明に係る携帯電子機器は、前記電子機器本体に対する前記タッチパネルディスプレイの装着の有無を検出するタッチパネル検出手段を備えたことを特徴とする。
【０００７】
さらに、本発明に係る携帯電子機器は、前記タッチパネル検出手段が、電子機器本体に複数個配設され、前記電子機器本体に装着されたタッチパネルディスプレイの種類を認識することを特徴とする。
また、本発明に係る携帯電子機器は、前記タッチパネル検出手段の検出結果に応じて、電子機器本体に収納された対応するプログラムが起動して、前記表示部に前記プログラムに応じた所定の表示が現れることを特徴とする。
【０００８】
さらに、本発明に係る携帯電子機器は、前記タッチパネルディスプレイに専用の操作キーが配設され、前記タッチパネル検出手段の検出結果に応じて前記操作キーが有効となることを特徴とする。
また、本発明に係る携帯電子機器は、前記タッチパネルディスプレイと電子機器本体とを電気的に接続する導通手段を備えたことを特徴とする。
【発明の効果】
【０００９】
本発明によれば、電子機器本体の表示部上にタッチパネルディスプレイを着脱可能に配設することにより、携帯電子機器の使用者が必要に応じてタッチパネルディスプレイを購入すればよいため、タッチパネルディスプレイによる携帯電子機器の不要な製造コストの高騰を防止することができる。また、タッチパネルディスプレイに傷が付いたり、汚れた場合には、タッチパネルディスプレイのみを交換したり修理したりできるため、携帯電子機器を容易に取り扱うことができる。
【発明を実施するための最良の形態】
【００１０】
以下、図１から図１６は本発明の一実施形態を示している。図１〜３に示すように、この実施の形態に係る携帯電子機器１０は、各種情報を表示する表示部１１を有する表示部側筺体（電子機器本体）１２と、押圧可能な複数の操作キーからなる操作部９を有する操作部側筺体１３と、表示部１１の上に着脱可能に配設されるタッチパネルディスプレイ１４とを備えている。
２つの筺体１２，１３は、操作部９が外方の露出するように相互に開いた状態と、操作部９を表示部側誼体１１により隠すように相互に重ねて閉じた状態とできるように連結されている。なお、これら２つの筺体１２，１３を相互に開いた状態においては、表示部１１を視認しながらキー操作部において各種情報を入力できるようになっている。また、表示部１１は、２つの筺体１２，１３の開閉状態に関わらず、外方に露出している。タッチパネルディスプレイ１４は、表示部側筈体１２に装着された状態でも表示部１１を視認できるように、透明な部材から構成されている。
表示部側筺体１２の両側面には、タッチパネルディスプレイ１４を取り付けるためのガイド溝１５が形成されるとともに先端側中央にロック部１６が形成されている。
【００１１】
ロック部１６は、図４に示すように、表示部側箇体１２から立ち上がった楔形爪１６ａとタッチパネルディスプレイ１４側に形成された喫形のロック爪１６ｂとから構成されている。タッチパネルディスプレイ１４の先端に形成されたロック爪１６ｂは、タッチパネルディスプレイ１４が表示部側笛体１２のガイド溝１５の長手方向（Ａ方向）に沿って装着されると、模形爪１６ａを乗り越えてロックされ装着状態が保持される。また、タッチパネルディスプレイ１４を取り外す方向に所定の力で引けば、楔形爪１６ａとロック爪１６ｂの係合は、ロック爪１６ｂが上方向に弾性移動することにより解除される。
【００１２】
また、図５〜図７に示すように、ロック部１６の両側にはタッチパネル検出手段１７が配設されている。タッチパネル検出手段１７は、タッチパネルディスプレイ１４側に形成された検出爪１７ａと、表示部側筺体１２側に形成された２個の検出レバー１７ｂおよび２個の検出スイッチ１７ｃとから形成されている。検出爪１７ａは、タッチパネルディスプレイ１４の種類によって、２個設ける場合、左右何れか一方に設ける場合、全く設けない場合の計４種類が考えられる。
【００１３】
検出レバー１７ｂは、表示部側誼体１２に対して軸１７ｄを中心に回勅自在に設けられており、この検出レバー１７の直下には、表示部側筺体１２の内部に配された本体基板１９上に設けられた検出スイッチ１７ｃが位置している。また、検出レバー１７ｂは、バネ等の付勢手段（不図示）によって表示部側筺体１２から離間する方向に付勢されている。
したがって、図６に示すように、検出爪１７ａが検出レバー１７ｂの上に位置しない場合には、検出スイッチ１７ｃは検出レバー１７ｂによって押圧されないＯＦＦ状態となり、図７に示すように、検出爪１７ａが検出レバー１７ｂの上に位置する場合には、検出スイッチ１７ｃは検出レバー１７ｂによって押圧されるＯＮ状態となる。この検出スイッチ１７ｃは、ロック部１６の左右にそれぞれ１個づつ配設されている。
【００１４】
この携帯電子機器１０には、図８，１０に示すように、表示部側筺体１２とタッチパネルディスプレイ１４とを電気的に接続する導通手段１８が設けられている。導通手段１８は、表示部側筺体１２側に形成されたスライド板１８ａと、一端が本体基板１９に接続され、他端が表示部側笛体１２の開口部１２ａから露出する接触バネ端子１８ｂと、前記開口部１２ａを閉じるようにスライド板１８ａを付勢するスライド板用バネ１８ｃと、タッチパネルディスプレイ１４側に形成され、開口部１２ａを開くようにスライド板１８ａを移動させるための突起２０と、タッチパネルディスプレイ１４側に設けられたタッチパネル側基板２１に接続されたタッチパネル側端子２２とから構成されている。
スライド板１８ａは、表示部側筺体１２の上面に水平方向に移動可能に配設されており、その上面から突出する突起１８ｄを有している。タッチパネルディスプレイ１４が装着されていない場合、表示部側筺体１２の開口部１２ａがスライド板用バネ１８ｃの付勢力により閉じられている。この際、接触バネ端子１８ｂは、表示部側筺体１２内に収納されている。
【００１５】
この状態から、タッチパネルディスプレイ１４がガイド溝１５に沿って前進すると、タッチパネルディスプレイ１４の突起２０がスライド板用バネ１８ｃの突起１８ｄに当接して、スライド板１８ａを前方へ移動する。この際には、図９、１１に示すように、接触バネ端子１８ｂが開口部１２ａから突出してタッチパネルディスプレイ１４側のタッチパネル側端子２２に接触することになる。
以上のように、タッチパネルディスプレイ１４を表示部側筺体１２に装着した状態においては、本体基板１９とタッチパネル側基板２１の電気的導通が実現し、表示部側筺体１２側からタッチパネルディスプレイ１４に電力供給したり、表示部側筺体１２とタッチパネルディスプレイ１４との間で制御信号の授受を行うことができる。また、タッチパネルディスプレイ１４を表示部側筺体１２から抜き取ると、スライド板１８ａは、スライド板用バネ１８ｃによって後退し、接触バネ端子１８ｂが表示部側鎗体１２の内部に収納される。
【００１６】
次に、表示部側筺体１２に種々のタッチパネルディスプレイを取り付けた場合について説明する。図１２は、タッチパネル検出手段１７の２つの検出スイッチ１７c  （ＳＷ１，ＳＷ２）と、表示部側筺体１２に装着するデバイスとしてのタッチパネルディスプレイの種類との関係を示す一覧表である。
この表に示すように、ＳＷ１，ＳＷ２が共にＯＦＦ状態の場合には、タッチパネル検出手段１７が、表示部側筺体１２に何も装着されていない、若しくは、単なる透明な保護カバーが装着されていることを検出する。また、ＳＷ１がＯＦＦ状態、且つ、ＳＷ２がON状態の場合には、タッチパネル検出手段１７が、表示部側筺体１２にタッチパネルモジュール（タッチパネルディスプレイ）が装着されたことを検出し、ＳＷ１がＯＮ状態、且つ、ＳＷ２がＯＦＦ状態の場合には、表示部側筺体１２にゲーム用モジュール（タッチパネルディスプレイ）が装着されたことを検出する。さらに、ＳＷ１，ＳＷ２が共にＯＮ状態の場合には、オーディオ用モジュール（タッチパネルディスプレイ）が装着されたことを検出する。なお、ＳＷ１，ＳＷ２の検出結果とタッチパネルディスプレイの種類との組み合わせは、これに限るものではない。
【００１７】
図１３は、上述したタッチパネル検出手段１７の検出結果に基づいて、表示部側筺体１２や操作部側筺体１３内に設けられた制御部（不図示）において行われる処理内容を示すフローチャートである。先ず、ステップＳ１でＳＷ１のＯＮ状態、ＯＦＦ状態を判断する。ここで、ＳＷ１がＯＮ状態の場合は、ステップＳ２に進み、ＳＷ２のＯＮ状態、ＯＦＦ状態を判断する。そして、ＳＷ２がＯＮ状態の場合は、オーディオ用モジュールが装着されたことが確認され、オーディオ用キー割り当て切り替えが行われる。また、オーディオ用モジュールに設けられたステレオスピーカ（以下、ステレオＳＰと呼ぶ）の出力の切り替えも行われる。
具体的には、図１４に示すように、オーディオ用モジュール２３が装着された場合に、表示部側筺体１２や操作部側筺体１３の内部に配したメモリ（不図示）に収納されたオーディオ用のプログラムが起動し、オーディオ用モジュール２３に設けられたステレオＳＰ２４への出力の切り替え、ＰＬＡＹ、ＦＦ／ＦＳｋｉｐ、ＳＴＯＰ、Ｒ  ＥＶ／ＲＳｋｉｐ等のオーディオ用キーの割り当てが行われる。また、なお、表示部１１には、音楽のファイル、フォルダ、ラジオ局等の情報が表示される。
【００１８】
また、図１３に示すように、ステップＳ２においてＳＷ２がＯＦＦ状態の場合には、ゲーム用モジュールが装着されたことが確認され、ゲーム用キーの割り当て、ゲーム用ＳＰへの出力の切り替えが行われる。
具体的には、図１５に示すように、ゲーム用モジュール２６が装着された場合に、前述したメモリに収納されたゲーム用のプログラムが起動し、ゲーム用モジュール２６に設けられたゲーム用ＳＰ２７及びゲーム用キー２８の割り当てが行われる。なお、表示部１１には、ゲーム内容に応じた情報が表示される。
【００１９】
また、図１３に示すように、ステップＳ３においてＳＷ２がＯＮ状態の場合には、タッチパネルモジュールが装着されたことが確認され、前述したメモリに収納された所定のプログラムが起動して、タッチパネル用キーの割り当て、外部ＳＰ出力ＯＦＦ等が行われる。
具体的には、図１６に示すように、タッチパネルモジュール３０が装着された場合に、表示部１１上に配されたタッチパネルモジュール３０の操作キー（不図示）の割り当てが行われると共に、これら操作キーの位置に対応する表示部１１に所定の表示（アイコン）Ｃが現れる。そして、表示部１１のアイコンＣの部分に触れるように、タッチパネルモジュール３０の操作キーを指でタッチすることにより、各種操作を行うことができる。
【００２０】
また、図１３に示すように、ステップＳ３においてＳＷ２がＯＦＦ状態の場合には、透明な保護カバー或いは、何も装着されないことが確認され、キーの割り当てを無くし、外部ＳＰ出力もＯＦＦとする。この場合は、例えば、操作部側誼体のキー操作による携帯電子機器として使用することができる。なお、保護カバーを装着した場合は、表示部１１の汚れや傷付きを防止するとともに、表示部１１に表示される各種情報を視認することができる。
【００２１】
以上のように構成した携帯電子機器１０によれば、オーディオ用モジュール２３やゲーム用モジュール２６、タッチパネルモジュール３０等のタッチパネルディスプレイ１４が、表示部側筺体１２に対して着脱可能であるため、携帯電子機器の使用者が必要に応じてタッチパネルディスプレイ１４を購入すればよいため、タッチパネルディスプレイ１４による携帯電子機器の不要な製造コストの高騰を防止することができる。
また、タッチパネルディスプレイ１４に傷が付いたり、汚れた場合には、タッチパネルディスプレイ１４のみを交換したり修理したりできるため、携帯電子機器を容易に取り扱うことができる。
【００２２】
さらに、タッチパネル検出手段１７の検出結果に基づいて、表示部側筺体１２や操作部側筺体１３内に収納された所定のプログラムが起動し、プログラムに応じた表示が表示部１１に現れ、また、タッチパネルディスプレイ１４に配された各種操作キーが有効となるため、表示部側筺体１２にタッチパネルディスプレイ１４を装着するだけで、タッチパネルディスプレイ１４の種類に応じた操作が可能となる。
また、タッチパネルディスプレイ１４を表示部側笛体１２に装着するだけで、導通手段１８によるタッチパネルディスプレイ１４と表示部側筺体１２との電気的導通が実現されるため、携帯電子機器の取り扱いがさらに容易となる。さらに、この装着状態では、表示部側筺体１２からタッチパネルディスプレイ１４に電力が供給されるため、タッチパネルディスプレイ１４自体にバッテリーを搭載する必要がないという効果も奏する。
【００２３】
なお、上記実施形態においては、２つの筺体１２，１３の開閉状態に関わらず表示部１１が外方に露出する携帯電子機器について述べたが、これに限らず、２つの筺体を重ねて閉じた状態において表示部が外方に露出しない所謂折り畳み型の携帯電子機器に適用するとしても構わない。また、２つの筺体を備える携帯電子機器に限ることはなく、例えば、携帯電話機、ＰＤＡ、デジタルカメラ等のように、少なくとも表示部を有する筺体（電子機器本体）と、この筺体に着脱可能なタッチパネルディスプレイ１４とを備える携帯電子機器であればよい。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２４】
【図１】本発明の一実施形態に係る携帯電子機器の平面図であって、（ａ）は２つの筺体を相互に開いた状態を示し、（ｂ）は２つの筺体を相互に閉じた状態を示している。
【図２】図１の携帯電子機器において、２つの鎗体を相互に閉じた状態を示す正面図である。
【図３】図１の携帯電子機器において、２つの筈体を相互に閉じた状態を示す側面図である。
【図４】図１の携帯電子機器において、ロック部を示す拡大断面図である。
【図５】図１の携帯電子機器において、タッチパネル検出手段を示す拡大断面図である。
【図６】図１の携帯電子機器において、タッチパネル検出手段を示す拡大断面図である。
【図７】図１の携帯電子機器において、タッチパネル検出手段を示す拡大断面図である。
【図８】図１の携帯電子機器において、導通手段を示す拡大断面図である。
【図９】図１の携帯電子機器において、導通手段を示す拡大断面図である。
【図１０】図１の携帯電子機器において、導通手段を示す平面図である。
【図１１】図１の携帯電子機器において、導通手段を示す平面図である。
【図１２】図１の携帯電子機器において、検出スイッチとタッチパネルディスプレイとの関係を示す説明図である。
【図１３】図１の携帯電子機器において、タッチパネル検出手段の検出結果に基づく処理内容を示すフローチャートである。
【図１４】図１の携帯電子機器において、表示部側筺体にオーディオ用モジュールを装着した状態を示す平面図である。
【図１５】図１の携帯電子機器において、表示部側筺体にゲーム用モジュールを装着した状態を示す平面図である。
【図１６】図１の携帯電子機器において、表示部側筺体にタッチパネルモジュールを装着した状態を示す平面図である。
【符号の説明】
【００２５】
１０      携帯電子機器
１１      表示部
１２      表示部側筥体（電子機器本体）
１４      タッチパネルディスプレイ
１７      タッチパネル検出手段
１８      導通手段
２３      オーディオ用モジュール（タッチパネルディヌ、プレイ）
２６      ゲーム用モジュール（タッチパネルディスプレイ）
３０      タッチパネルモジュール（タッチパネルディスプレイ）
【図１】
2006067250.tif 000003
【図２】
2006067250.tif 000004
【図３】
2006067250.tif 000005
【図４】
2006067250.tif 000006
【図５】
2006067250.tif 000007
【図６】
2006067250.tif 000008
【図７】
2006067250.tif 000009
【図８】
2006067250.tif 000010
【図９】
2006067250.tif 000011
【図１０】
2006067250.tif 000012
【図１１】
2006067250.tif 000013
【図１２】
2006067250.tif 000014
【図１３】
2006067250.tif 000015
【図１４】
2006067250.tif 000016
【図１５】
2006067250.tif 000017
【図１６】
2006067250.tif 000018